(57)【要約】【課題】  テレビ共同受信システム用の伝送線を利用して音声信号・映像変調信号を伝送可能なインターホンシステムを、容易に且つ低コストで構築する。  【解決手段】  集合玄関設備１１における集合インターホン制御装置１３と端末端子１０ａとを集合用アダプタ１２を介して接続することで、集合インターホン制御装置１３からの各種信号が伝送線Ｌを介して各個別住戸へ伝送される。個別住戸２０では、居室インターホン装置２２と端末端子８ａとを住戸用アダプタ２１で接続することで、居室インターホン装置２２からの各種信号が伝送線Ｌ，集合用アダプタ１２を介して集合玄関設備１１へ伝送される。つまり、映像変調信号伝送用の配線が敷設されていないインターホンシステムが既設された住宅でも、少なくとも上記各アダプタ及びモニタ装置２７を新たに設けることで、モニタ機能付のインターホンシステムを容易且つ低コストで構築できる。【選択図】  図１
2005136905.tif 000002
【特許請求の範囲】
【請求項１】
放送電波を受信する受信アンテナからの受信信号を伝送線及び該伝送線上に設けられた信号分離手段を介して複数の端末端子まで伝送するテレビ共同受信システムが構築された住宅に設けられるインターホンシステムであって、
前記住宅の玄関に設けられ、モニタカメラにて撮影した映像信号を変調して映像変調信号として出力すると共に、玄関側マイクから入力された音声を玄関側音声信号として出力し、且つ、前記住宅の居室内に設けられた居室親機から出力された居室側音声信号を入力して玄関側スピーカから音声出力するよう構成された玄関設備と、
前記玄関設備からの前記玄関側音声信号を入力して居室側スピーカから音声出力し、且つ、居室側マイクから入力された音声を前記居室側音声信号として出力するよう構成された前記居室親機と、
前記玄関設備からの前記映像変調信号に基づいて、前記モニタカメラで撮影した映像を表示する映像表示手段と、
前記玄関設備と前記いずれかの端末端子との間に設けられ、前記玄関設備からの前記映像変調信号を該端末端子を介して前記伝送線上へ送出すると共に、前記玄関側音声信号を前記伝送線にて伝送可能な周波数帯の信号である玄関側音声変調信号に変調して該端末端子を介して該伝送線上へ送出し、且つ、該端末端子を介して入力される、前記居室親機からの前記居室側音声信号が変調された居室側音声変調信号を、元の前記居室側音声信号に復調して前記玄関設備へ送出するよう構成された玄関側信号中継装置と、
前記居室親機及び前記映像表示手段と、前記玄関側信号中継装置が接続された端末端子を除く前記いずれかの端末端子との間に設けられ、前記居室親機からの前記居室側音声信号を前記伝送線にて伝送可能な周波数帯域の信号である前記居室側音声変調信号に変調して、該端末端子を介して該伝送線上へ送出し、且つ、前記玄関側信号中継装置から前記伝送線及び該端末端子を介して入力された前記映像変調信号及び前記玄関側音声変調信号のうち、前記映像変調信号を前記映像表示手段へ送出すると共に、前記玄関側音声変調信号を元の前記玄関側音声信号に復調して前記居室親機へ送出するよう構成された居室側信号中継装置と、
を備えたことを特徴とするインターホンシステム。
【請求項２】
前記居室側信号中継装置は、端末端子を介して入力された信号のうち前記受信アンテナからの受信信号をそのまま外部へ出力するよう構成されている
ことを特徴とする請求項１記載のインターホンシステム。
【請求項３】
前記伝送線上には、前記信号分離手段として少なくとも、該伝送線上を双方向に伝送される各信号の一部を共に端末端子側へ分岐可能な分岐手段が設けられている
ことを特徴とする請求項１又は２記載のインターホンシステム。
【請求項４】
前記伝送線上には、前記信号分離手段として少なくとも、前記受信アンテナ側から前記端末端子側へ伝送される下り信号の一部を前記端末端子側へ分岐する分岐手段が設けられ、
前記居室親機の少なくとも一つは、前記分岐手段による分岐後の前記下り信号が伝送されてくる前記端末端子に前記居室側信号中継装置を介して接続されており、
更に、
前記伝送線上における、前記受信アンテナからの受信信号が前記信号分離手段によって最初に分離される前の範囲内に設けられ、前記玄関側信号中継装置から前記伝送線上を伝送されてくる前記映像変調信号及び前記玄関側音声変調信号をそれぞれ、前記受信信号の周波数を含む所定の下り信号周波数帯域内における所定の第１周波数帯域内の信号に変換して再び前記伝送線上へ送出し、前記居室側信号中継装置から前記伝送線上を伝送されてくる前記居室側音声変調信号を、前記下り信号周波数帯域内における前記第１周波数帯域を除く所定の第２周波数帯域内の信号に変換して再び前記伝送線上へ送出するよう構成された周波数変換手段を備え、
前記玄関側信号中継装置は、前記周波数変換手段による周波数変換後の前記居室側音声変調信号を、元の前記居室側音声信号に復調し、
前記居室側信号中継装置は、前記周波数変換手段による周波数変換後の前記映像変調信号を前記映像表示手段へ送出すると共に、該周波数変換後の前記玄関側音声変調信号を元の前記玄関側音声信号に復調する
ことを特徴とする請求項１又は２記載のインターホンシステム。
【請求項５】
前記伝送線上における前記周波数変換手段から前記各端末端子に至る伝送経路上に、該伝送経路上を双方向に伝送される信号をそれぞれ所定の増幅率にて増幅する双方向増幅器が設置されている
ことを特徴とする請求項４記載のインターホンシステム。
【請求項６】
前記信号分離手段は、当該信号分離手段が備える全ての信号入出力端子相互間で直流又は前記各信号の周波数より低い低周波数帯域の電流が通過可能に構成されており、
前記玄関設備には、直流または前記低周波数帯域の電源を外部へ供給するための電源供給手段が備えられ、該電源供給手段からの電源が前記玄関側信号中継装置を介して前記伝送線上へ送出されるよう構成されており、
前記居室内における前記居室側信号中継装置、前記居室親機又は前記映像表示手段の少なくとも一つは、前記伝送線を介して供給される前記電源によって作動する
ことを特徴とする請求項１〜５いずれかに記載のインターホンシステム。
【請求項７】
前記信号分離手段は、当該信号分離手段が備える全ての信号入出力端子相互間で直流又は前記各信号の周波数より低い低周波数帯域の電流が通過可能に構成されており、
前記周波数変換手段は、直流または前記低周波数帯域の電源を外部へ供給するための電源供給手段を備え、
前記居室内における前記居室側信号中継装置、前記居室親機又は前記映像表示手段の少なくとも一つは、前記電源供給手段から前記伝送線を介して供給される前記電源によって作動する
ことを特徴とする請求項４又は５記載のインターホンシステム。
【請求項８】
前記玄関設備は、前記居室親機の動作を制御する玄関側制御信号を出力すると共に、該居室親機から居室側制御信号を受信したときは該居室側制御信号に基づいて作動し、
前記居室親機は、前記玄関設備の動作を制御する前記居室側制御信号を出力すると共に、該玄関設備から前記玄関側制御信号を受信したときは、該玄関側制御信号に基づいて作動し、
前記玄関側信号中継装置は、前記玄関設備からの玄関側制御信号を前記端末端子を介して伝送線上へ送出すると共に、該端末端子を介して入力された前記居室側制御信号を前記玄関設備へ出力し、
前記居室側信号中継装置は、前記居室親機からの居室側制御信号を前記端末端子を介して伝送線上へ送出すると共に、該端末端子を介して入力された前記玄関側制御信号を前記居室親機へ出力する
ことを特徴とする請求項１〜７いずれかに記載のインターホンシステム。
【請求項９】
請求項６又は７を引用する請求項８記載のインターホンシステムであって、
前記制御信号は前記低周波数帯域内の周波数であることを特徴とするインターホンシステム。
【請求項１０】
前記住宅は、前記端末端子が少なくとも一つ配設された複数の住戸からなる集合住宅であり、
前記玄関設備は、前記複数の住戸のうちいずれか一つを指定するための住戸指定手段を備えると共に、該住戸指定手段により指定された住戸に対応する識別信号を前記玄関側制御信号の一つとして出力するよう構成され、
前記居室親機は、前記居室側信号中継装置を介して入力された前記識別信号が、自身を示すものであった場合にのみ、前記居室側スピーカによる音声出力を行う
ことを特徴とする請求項８又は９記載のインターホンシステム。
【請求項１１】
前記居室親機又は前記居室側信号中継装置は、前記識別信号が自身を示すものであった場合にのみ、前記映像表示手段による映像出力を許可することを特徴とする請求項１０記載のインターホンシステム。
【請求項１２】
前記居室親機は、前記玄関設備を構成する集合玄関扉の施錠装置を解錠するための解錠信号を前記居室側制御信号の一つとして前記伝送線上へ出力させる解錠手段を備え、
前記施錠装置は、前記伝送線を伝送されてきた前記解錠信号が前記玄関側信号中継装置を介して前記玄関設備に入力されたとき、該入力された解錠信号に基づいて解錠されるよう構成されている
ことを特徴とする請求項８〜１１いずれかに記載のインターホンシステム。
【請求項１３】
請求項１記載のインターホンシステムにおいて、前記玄関側信号中継装置として用いられる信号中継装置であって、
前記玄関設備からの前記映像変調信号を前記端末端子側へ送出させるための第１映像変調信号送出手段と、
前記玄関設備からの玄関側音声信号を前記玄関側音声変調信号に変調する玄関音声変調手段と、
前記端末端子を介して入力された前記居室側音声変調信号を前記居室側音声信号に復調する居室音声復調手段と、
を備えたことを特徴とする信号中継装置。
【請求項１４】
請求項４記載のインターホンシステムにおいて、前記玄関側信号中継装置として用いられる信号中継装置であって、
前記居室音声復調手段は、前記周波数変換手段による周波数変換後の前記居室側音声変調信号を、元の前記居室側音声信号に復調する
ことを特徴とする請求項１３記載の信号中継装置。
【請求項１５】
請求項１記載のインターホンシステムにおいて、前記居室側信号中継装置として用いられる信号中継装置であって、
前記居室親機からの居室側音声信号を前記居室側音声変調信号に変調する居室音声変調手段と、
前記端末端子を介して入力された前記映像変調信号を前記居室親機側へ送出するための第２映像変調信号送出手段と、
前記端末端子を介して入力された前記玄関側音声変調信号を前記玄関側音声信号に復調する玄関音声復調手段と、
を備えたことを特徴とする信号中継装置。
【請求項１６】
前記端末端子を介して入力された信号のうち、前記受信アンテナからの受信信号をそのまま外部へ出力させる受信信号通過手段を備えたことを特徴とする請求項１５記載の信号中継装置。
【請求項１７】
請求項４記載のインターホンシステムにおいて、前記居室側信号中継装置として用いられる信号中継装置であって、
前記玄関音声復調手段は、前記周波数変換手段による周波数変換後の前記玄関側音声変調信号を、元の前記玄関側音声信号に復調し、
前記第２映像変調信号送出手段は、前記周波数変換手段による周波数変換後の前記映像変調信号を前記映像表示手段へ送出する
ことを特徴とする請求項１５又は１６記載の信号中継装置。
【請求項１８】
当該信号中継装置は、前記伝送線から前記端末端子を介して供給される電源によって作動するよう構成されていることを特徴とする請求項１５〜１７いずれかに記載の信号中継装置。
【発明の詳細な説明】
【技術分野】
【０００１】
本発明は、建造物内におけるテレビ共同受信用の伝送線を利用したインターホンシステム、及び、このシステムで使用される信号中継装置に関する。
【背景技術】
【０００２】
従来より、マンション、アパート等の集合住宅には、通常、屋上に設置された放送電波受信用の受信アンテナからの受信信号を、建造物内に配線した伝送線を介して各住戸の端末端子まで伝送するテレビ共同受信システム（いわゆる棟内ＣＡＴＶシステム）が構築されている。
【０００３】
そこで、このテレビ共同受信システムを利用したインターホンシステムとして、集合住宅における集合玄関設備と各住戸毎に設置された居室親機（居室インターホン装置）との間で、集合住宅内に構築されたテレビ共同受信システム用の伝送線を利用して音声信号・映像変調信号を伝送することにより、住戸内の住人が来訪者を視覚的に確認しながら来訪者との会話を行うことができるシステム（以下「テレビインターホンシステム」ともいう）が知られている（例えば、特許文献１参照。）。
【０００４】
このテレビインターホンシステムでは、集合玄関設備からの音声信号が、テレビ共同受信システムにおける各種受信アンテナにて受信した放送チャンネル用信号（以下「テレビ信号」という）として利用していない帯域に変調され、映像変調信号と共に同軸ケーブル等の伝送線を介して各住戸の居室親機へ伝送される。また、居室親機からの音声信号も同様に、テレビ信号として利用していない帯域に変調され、伝送線を介して集合玄関設備へ伝送される。
【０００５】
一方、集合住宅においては、その完成当初から既に、テレビ共同受信システムとは別にインターホンシステムが独立して構築されている場合が多い。この場合、集合玄関設備にはじめからモニタカメラが備えられ、このモニタカメラで撮影した来訪者の映像を居室親機側で見ることができる機能（モニタ機能）が備えられたテレビインターホンシステムとして構築されているものもあるが、既存のインターホンシステム、特に、比較的古い集合住宅における既存のインターホンシステムでは、建設当時において、その必要性がないと判断されたり或いはコスト等の理由によって、モニタ機能を備えず、音声による会話機能のみを備えたもの（以下「音声インターホンシステム」ともいう）も多い。
【０００６】
このような既存の音声インターホンシステムは、音声会話機能のみであるため、集合玄関設備と各住戸との間の配線も、音声会話機能に必要な配線のみが敷設されているだけであってモニタ機能用に必要な配線が敷設されていない場合がほとんどである。また、既存の音声インターホンシステムの中には、集合玄関設備及び居室親機それぞれはオプションでモニタ機能を追加できるよう構成されたものもあるが、そのように、システムを構成する各機器がモニタ機能対応のものであっても、集合住宅の完成当時（インターホンシステム構築当時）は音声会話機能のみで十分であるとの判断からモニタ機能は利用せず、システムの配線も音声会話機能に必要な配線のみとしている場合が多い。
【０００７】
ところが、近年の社会情勢の変化や治安の悪化等に伴うセキュリティ意識の向上、プライバシー保護等に対する各住戸住民の意識の変化により、モニタ機能を備えたテレビインターホンシステムにリニューアルしたいというニーズが高まっている。しかし、上記のように、既存の音声インターホンシステムでは、モニタ機能に対応した配線を備えていない場合がほとんどであるため、その場合、モニタ機能付きのシステムにリニューアルするためには、当然ながらモニタ機能用の配線を新たに敷設する必要があり、既に建設された集合住宅の内部全体に渡ってそのような配線を新たに敷設するのは、非常に長期間の工期を要し、しかも多大なコストが必要になるため、現実的ではなかった。
【０００８】
そこで、テレビインターホンシステムへのリニューアルを実現する方法の一つとして、上記説明したような、建造物内に既に構築されているテレビ共同受信システムを利用したインターホンシステムを新たに構築することが考えられる。このようにすれば、既設の伝送線を利用して音声信号・映像変調信号を共に伝送できるため、モニタ機能用の新たな配線を敷設する方法に比べれば、比較的短期間、低コストでリニューアルすることが可能である。
【特許文献１】特開昭５９−１６０２９６号公報
【発明の開示】
【発明が解決しようとする課題】
【０００９】
しかしながら、既存の音声インターホンシステムに対して、単に、テレビ共同受信用の伝送線を利用したテレビインターホンシステムにリニューアルしようとすると、集合玄関設備や各居室親機も、新たに開発・製作する必要がある。即ち、テレビ共同受信用の伝送線を利用するためには、上記のように少なくとも音声信号を所定の周波数に変調して伝送線上を伝送させる必要があるため、そのような変復調機能を備えた集合玄関設備や居室親機を新規に開発・製作しなければならない。
【００１０】
そのため、その開発・製作にかかる期間やコストなどが比較的多大なものとなってしまい、集合住宅の管理人や住人にとって簡単には受け入れ難い（特にコスト的に）ものとなってしまうおそれがある。
【００１１】
しかも、集合玄関設備や居室親機を新規なものにすると、それまで使用していた既存の集合玄関設備や居室親機が使われず不要のものとなり、無駄になってしまう。つまり、音声会話機能のみで使用していた既存の機器を、リニューアル後も引き続き有効に利用できれば、機器の無駄が生じず、コスト的にも好ましいものとなる。
【００１２】
本発明は上記課題に鑑みなされたものであり、テレビ共同受信システム用の伝送線を利用して音声信号・映像変調信号を伝送可能なインターホンシステムを、容易に且つ低コストで構築できるようにすることを目的とする。
【課題を解決するための手段】
【００１３】
上記課題を解決するためになされた請求項１記載の発明は、放送電波を受信する受信アンテナからの受信信号を伝送線及び該伝送線上に設けられた信号分離手段を介して複数の端末端子まで伝送するテレビ共同受信システムが構築された住宅に設けられるインターホンシステムであって、玄関設備と、居室親機と、映像表示手段と、玄関側信号中継装置と、居室側信号中継装置と、を備えたものである。
【００１４】
玄関設備は、前記住宅の玄関に設けられ、モニタカメラにて撮影した映像信号を変調して映像変調信号として出力すると共に、玄関側マイクから入力された音声を玄関側音声信号として出力し、且つ、前記住宅の居室内に設けられた居室親機から出力された居室側音声信号を入力して玄関側スピーカから音声出力する。
【００１５】
居室親機は、前記玄関設備からの前記玄関側音声信号を入力して居室側スピーカから音声出力し、且つ、居室側マイクから入力された音声を前記居室側音声信号として出力する。また、映像表示手段は、前記玄関設備からの前記映像変調信号に基づいて前記モニタカメラで撮影した映像を表示する。
【００１６】
玄関側信号中継装置は、前記玄関設備と前記いずれかの端末端子との間に設けられ、前記玄関設備からの前記映像変調信号を該端末端子を介して前記伝送線上へ送出すると共に、前記玄関側音声信号を前記伝送線にて伝送可能な周波数帯の信号である玄関側音声変調信号に変調して該端末端子を介して該伝送線上へ送出し、且つ、該端末端子を介して入力される、前記居室親機からの前記居室側音声信号が変調された居室側音声変調信号を、元の前記居室側音声信号に復調して前記玄関設備へ送出する。
【００１７】
そして居室側信号中継装置は、前記居室親機及び前記映像表示手段と、前記玄関側信号中継装置が接続された端末端子を除く前記いずれかの端末端子との間に設けられ、前記居室親機からの前記居室側音声信号を前記伝送線にて伝送可能な周波数帯域の信号である前記居室側音声変調信号に変調して、該端末端子を介して該伝送線上へ送出し、且つ、前記玄関側信号中継装置から前記伝送線及び該端末端子を介して入力された前記映像変調信号及び前記玄関側音声変調信号のうち、前記映像変調信号を前記映像表示手段へ送出すると共に、前記玄関側音声変調信号を元の前記玄関側音声信号に復調して前記居室親機へ送出する。
【００１８】
信号分離手段は、例えば入力信号の一部を分岐させたり、或いは入力信号を等分配するなど、伝送線上を伝送する信号を一又は複数に分離するものである。この分離手段は、受信アンテナからの受信信号を最初に分離するものに限らず、分離された信号を更にまた分離するものも含む。
【００１９】
また、伝送線にて伝送可能な周波数帯域とは、自身以外の他の各種信号の周波数帯域を除く空き帯域（チャンネル）をいう。例えば、映像変調信号は、少なくとも、受信アンテナからの受信信号、玄関側音声変調信号、及び居室側音声変調信号の周波数を除く帯域に変調されることになる。
【００２０】
つまり、本発明のインターホンシステムは、居室親機と玄関設備との間でテレビ共同受信システムの伝送線を利用して音声信号・映像変調信号の送受を行うにあたり、玄関設備と伝送線との間の信号伝送を玄関側信号中継装置で中継させることにより実現し、居室親機及び映像表示手段と伝送線との間の信号伝送を居室側信号中継装置で中継させることにより実現するのである。
【００２１】
従って、本発明（請求項１）のインターホンシステムによれば、映像変調信号伝送用の配線が敷設されていないインターホンシステムが既設された住宅において、上記各信号中継装置及び映像表示手段を新たに設けることで、既存の機器（居室親機や玄関設備など）をそのまま利用することが可能となる。また、仮に既存の居室親機・玄関設備を利用できない場合、或いは利用可能ではあるが機器を全て一新したい場合などにおいても、居室親機及び玄関設備については市販のモニタ機能付のものを利用（購入）でき、新たに開発・設計が必要となるのは上記各信号中継装置のみで足りる。そのため、テレビ共同受信システム用の伝送線を利用して音声信号・映像変調信号を伝送可能なインターホンシステムを、容易に且つ低コストで構築できる。
【００２２】
尚、モニタカメラは、動画を撮影可能なものに限らず、例えば静止画を一定時間間隔で連続撮影するものなど、少なくとも来訪者が誰であるかを住人が視覚的に認識できるものであればよい。映像信号から映像変調信号への変調は、例えばＦＭ変調でもいいし、その他の各種変調方式を用いて変調するようにしてもよい。
【００２３】
また、映像表示手段は、例えば居室親機に接続する小型のモニタでもよいし、また例えば、テレビ放送視聴用のテレビ受像機を利用したものであってもよく、更に、両者を共に備えたものであってもよい。また、居室親機と映像表示手段が一体化された一つの装置として構成されていてもよい。
【００２４】
請求項２記載の発明は、請求項１記載のインターホンシステムであって、前記居室側信号中継装置は、端末端子を介して入力された信号のうち前記受信アンテナからの受信信号をそのまま外部へ出力するよう構成されている。このように構成されたインターホンシステムによれば、受信アンテナからの受信信号はそのまま居室側信号中継装置から出力され、例えばテレビ受像機等に入力することでテレビ放送を視聴することが可能となる。そのため、一つの端末端子を、受信アンテナからの受信信号取得用及びインターホンシステム用として同時に使用することができ、仮に一つの住戸内に端末端子が一つしかない場合であってもテレビ放送視聴及び当該インターホンシステムの利用が共に可能となる。
【００２５】
ここで、例えば玄関側信号中継装置から出力される信号は、居室側信号中継装置に至るまでの伝送線上に設けられている信号分離手段の構成によっては、その居室側信号中継装置へ確実に伝送されないおそれがある。居室側信号中継装置から玄関側信号中継装置への信号伝送についても同様である。即ち、例えば信号分離手段が入力信号を等分配する分配器である場合は特に問題ないが、例えば入力信号の一部を分岐する分岐器である場合、一般的には、分岐器の出力側から入力された信号は、分岐出力側に対して大きく減衰するため分岐されないと考えることができる。そこで、例えば請求項３に記載のように、信号分離手段を双方向型として構成するとよい。
【００２６】
即ち、請求項３記載の発明は、請求項１又は２記載のインターホンシステムであって、前記伝送線上には、前記信号分離手段として少なくとも、該伝送線上を双方向に伝送される各信号の一部を共に端末端子側へ分岐可能な分岐手段が設けられている。このように構成されたインターホンシステムによれば、例えば入力信号の一部を分岐してそれ以外は同じ伝送線上へ再び出力するよう構成された分岐手段に対して、その入力側から信号が入力した場合はもちろん、その出力側から信号が入力した場合も、その入力した信号の一部が確実に分岐する。そのため、伝送線上に分岐器等の分岐手段を設ける場合、上記構成のような、入力側及び出力側の双方から入力される信号を共に分岐出力できる双方向型の分岐手段とすることで、本発明（請求項１又は２）のインターホンシステムを実現できる。
【００２７】
一方、請求項１又は２記載のインターホンシステムにおいて、例えば信号分離手段として分岐器を備え、その分岐器が、一方向からの入力信号のみ分岐可能な、方向性を有する一般的なものである場合は、例えば請求項４に記載のように構成するとよい。
【００２８】
即ち、請求項４記載のインターホンシステムは、前記伝送線上には、前記信号分離手段として少なくとも、前記受信アンテナ側から前記端末端子側へ伝送される下り信号の一部を前記端末端子側へ分岐する分岐手段が設けられ、前記居室親機の少なくとも一つは、前記分岐手段による分岐後の前記下り信号が伝送されてくる前記端末端子に前記居室側信号中継装置を介して接続されており、更に、前記伝送線上における、前記受信アンテナからの受信信号が前記信号分離手段によって最初に分離される前の範囲内には、前記玄関側信号中継装置から前記伝送線上を伝送されてくる前記映像変調信号及び前記玄関側音声変調信号をそれぞれ、前記受信信号の周波数を含む所定の下り信号周波数帯域内における所定の第１周波数帯域内の信号に変換して再び前記伝送線上へ送出し、前記居室側信号中継装置から前記伝送線上を伝送されてくる前記居室側音声変調信号を、前記下り信号周波数帯域内における前記第１周波数帯域を除く所定の第２周波数帯域内の信号に変換して再び前記伝送線上へ送出するよう構成された周波数変換手段が設けられている。
【００２９】
そして、前記玄関側信号中継装置は、前記周波数変換手段による周波数変換後の前記居室側音声変調信号を、元の前記居室側音声信号に復調し、前記居室側信号中継装置は、前記周波数変換手段による周波数変換後の前記映像変調信号を前記映像表示手段へ送出すると共に、該周波数変換後の前記玄関側音声変調信号を元の前記玄関側音声信号に復調する。
【００３０】
つまり、各信号中継装置から端末端子を介して伝送線上へ送出された上記各変調信号をそのまま周波数変換手段まで伝送させる。そして、周波数変換手段において、それぞれ第１（又は第２）周波数帯域内の信号に変換して、再び伝送線上へ（端末端子側へ）送出するのである。このようにすれば、周波数変換後の上記各変調信号が、分岐手段において端末端子側へ分岐される。つまり、周波数は変わるものの、上記各信号はそれぞれ確実に対応する上記各信号中継装置へ伝送されることになる。
【００３１】
従って、本発明（請求項４）のインターホンシステムによれば、分岐手段が方向性を持つものであっても、上記のように周波数変換手段を設けることで、各信号中継相互間の各変調信号の伝送が確実に行われる。
【００３２】
請求項５記載の発明は、請求項４記載のインターホンシステムであって、前記伝送線上における前記周波数変換手段から前記各端末端子に至る伝送経路上に、該伝送経路上を双方向に伝送される信号をそれぞれ所定の増幅率にて増幅する双方向増幅器が設置されている。このように構成されたインターホンシステムによれば、テレビ共同受信システムが複数の端末端子を備えたものである場合、特に、受信アンテナからの受信信号が複数の信号分離手段によって複数段階に分離されていくような構成の場合であっても、双方向に伝送される信号がいずれも所定レベルに増幅されるため、各信号中継装置では、必要なレベルが十分に確保された信号を受信することが可能となる。
【００３３】
ところで、居室に設けられる居室側信号中継装置、居室親機又は映像表示手段の電源としては、例えば、各々が個々に外部商用電源を取り込む手段（コンセント等）を備え、それを内部で所望の電源（例えばＤＣ電源）に変換するようにしてもよいが、そのようにすると、機器の大型化を招くおそれがある。そこで、例えば請求項６又は請求項７に記載のように、伝送線を介して直接所望の電源を取り込めるようにしてもよい。
【００３４】
即ち、請求項６記載の発明は、請求項１〜５いずれかに記載のインターホンシステムであって、前記信号分離手段は、当該信号分離手段が備える全ての信号入出力端子相互間で直流又は前記各信号の周波数より低い低周波数帯域の電流が通過可能に構成されており、前記玄関設備には、直流または前記低周波数帯域の電源を外部へ供給するための電源供給手段が備えられ、該電源供給手段からの電源が前記玄関側信号中継装置を介して前記伝送線上へ送出されるよう構成されており、前記居室内における前記居室側信号中継装置、前記居室親機又は前記映像表示手段の少なくとも一つは、前記伝送線を介して供給される前記電源によって作動する。
【００３５】
また、請求項７記載の発明は、請求項４又は５記載のインターホンシステムであって、前記信号分離手段は、当該信号分離手段が備える全ての信号入出力端子相互間で直流又は前記各信号の周波数より低い低周波数帯域の電流が通過可能に構成されており、前記周波数変換手段は、直流または前記低周波数帯域の電源を外部へ供給するための電源供給手段を備え、前記居室内における前記居室側信号中継装置、前記居室親機又は前記映像表示手段の少なくとも一つは、前記電源供給手段から前記伝送線を介して供給される前記電源によって作動する。
【００３６】
つまり、玄関設備又は周波数変換手段のいずれかから伝送線を介して、所望の電源を受けるようにするのである。このようにすれば、居室に設けられる居室側信号中継装置、居室親機又は映像表示手段では、単に、伝送線を介して供給される電源を受けるだけでよいため、これら居室側の各装置、機器を簡易的に構成できる。
【００３７】
請求項８記載の発明は、請求項１〜７いずれかに記載のインターホンシステムであって、前記玄関設備は、前記居室親機の動作を制御する玄関側制御信号を出力すると共に、該居室親機から居室側制御信号を受信したときは該居室側制御信号に基づいて作動し、前記居室親機は、前記玄関設備の動作を制御する前記居室側制御信号を出力すると共に、該玄関設備から前記玄関側制御信号を受信したときは、該玄関側制御信号に基づいて作動し、前記玄関側信号中継装置は、前記玄関設備からの玄関側制御信号を前記端末端子を介して伝送線上へ送出すると共に、該端末端子を介して入力された前記居室側制御信号を前記玄関設備へ出力し、前記居室側信号中継装置は、前記居室親機からの居室側制御信号を前記端末端子を介して伝送線上へ送出すると共に、該端末端子を介して入力された前記玄関側制御信号を前記居室親機へ出力する。
【００３８】
つまり、居室親機から玄関設備を制御でき、逆に、玄関設備から居室親機を制御できる。そして、各々制御するための各制御信号は、上記各信号中継装置及び伝送線を介して相互に伝送されるのである。
【００３９】
そしてこの場合、伝送線上へ送出する制御信号の周波数は、例えば請求項９に記載のように、上記低周波数帯域内の周波数にしてもよい。つまり、信号分離手段における全ての信号入出力端子相互間を通過可能な周波数帯域にするのである。これにより、例えば上記請求項６のように玄関側信号中継装置が電源供給手段を備えている場合は、制御信号が電源に重畳して各居室へ伝送されることになる。
【００４０】
請求項１０記載の発明は、請求項８又は９記載のインターホンシステムであって、前記住宅は、前記端末端子が少なくとも一つ配設された複数の住戸からなる集合住宅であり、前記玄関設備は、前記複数の住戸のうちいずれか一つを指定するための住戸指定手段を備えると共に、該住戸指定手段により指定された住戸に対応する識別信号を前記玄関側制御信号の一つとして出力するよう構成され、前記居室親機は、前記居室側信号中継装置を介して入力された前記識別信号が、自身を示すものであった場合にのみ、前記居室側スピーカによる音声出力を行う。
【００４１】
つまり、集合住宅においては複数の住戸が存在するが、玄関設備からの玄関側制御信号として識別信号を出力するようにし、その識別信号に対応した住戸のみが音声出力可能（つまり音声応答できる）ようにするのである。そのため、集合住宅に構築されたテレビ共同受信システムを利用した本インターホンシステムにおいても、玄関設備から所望の住戸内の住民のみを呼びだして会話を行うことができる。
【００４２】
更にこの場合、例えば請求項１１に記載のように、前記居室親機又は前記居室側信号中継装置は、前記識別信号が自身を示すものであった場合にのみ、前記映像表示手段による映像出力を許可するようにするとよい。このようにすれば、音声に加え、モニタカメラの映像についても、所望の住戸内の住民のみが見ることができるようになる。
請求項１２記載の発明は、請求項８〜１１いずれかに記載のインターホンシステムであって、前記居室親機は、前記玄関設備を構成する集合玄関扉の施錠装置を解錠するための解錠信号を前記居室側制御信号の一つとして前記伝送線上へ出力させる解錠手段を備え、前記施錠装置は、前記伝送線を伝送されてきた前記解錠信号が前記玄関側信号中継装置を介して前記玄関設備に入力されたとき、該入力された解錠信号に基づいて解錠されるよう構成されている。
【００４３】
つまり、各住戸から集合玄関扉の施錠装置を解錠するための信号についても、伝送線を介して集合玄関側へ送信できるのである。そのため、通話だけの基本的な機能だけでなく、より幅広い機能をテレビ共同受信システムを利用して実現することが可能となる。
【００４４】
次に、請求項１３記載の発明は、請求項１記載のインターホンシステムにおいて、前記玄関側信号中継装置として用いられる信号中継装置であって、前記玄関設備からの前記映像変調信号を前記端末端子側へ送出させるための第１映像変調信号送出手段と、前記玄関設備からの玄関側音声信号を前記玄関側音声変調信号に変調する玄関音声変調手段と、前記端末端子を介して入力された前記居室側音声変調信号を前記居室側音声信号に復調する居室音声復調手段と、を備えたものである。従って、上記構成の信号中継装置によれば、請求項１記載のインターホンシステムを構築することができ、その場合、請求項１と同様の作用、効果が得られる。
【００４５】
更に、この信号中継装置を、請求項４記載のインターホンシステムにおける玄関側信号中継装置として用いるために、例えば請求項１４のように、前記居室音声復調手段を、前記周波数変換手段による周波数変換後の前記居室側音声変調信号を元の前記居室側音声信号に復調するよう構成してもよい。このように構成された信号中継装置によれば、請求項４記載のインターホンシステムを構築することができ、その場合、請求項４と同様の作用、効果が得られる。
【００４６】
次に、請求項１５記載の発明は、請求項１記載のインターホンシステムにおいて、前記居室側信号中継装置として用いられる信号中継装置であって、前記居室親機からの居室側音声信号を前記居室側音声変調信号に変調する居室音声変調手段と、前記端末端子を介して入力された前記映像変調信号を前記居室親機側へ送出するための第２映像変調信号送出手段と、前記端末端子を介して入力された前記玄関側音声変調信号を前記玄関側音声信号に復調する玄関音声復調手段と、を備えたものである。従って、上記構成の信号中継装置によれば、請求項１記載のインターホンシステムを構築することができ、その場合、請求項１と同様の作用、効果が得られる。
【００４７】
この場合、例えば請求項１６記載のように、前記端末端子を介して入力された信号のうち、前記受信アンテナからの受信信号をそのまま外部へ出力させる受信信号通過手段を備えるようにしてもよい。このように構成した信号中継装置によれば、請求項２記載のインターホンシステムを構築することができ、その場合、請求項２と同様の作用、効果が得られる。
【００４８】
更に、この信号中継装置を、請求項４記載のインターホンシステムにおける居室側信号中継装置として用いるために、例えば請求項１７のように、前記玄関音声復調手段は、前記周波数変換手段による周波数変換後の前記玄関側音声変調信号を、元の前記玄関側音声信号に復調し、第２映像変調信号送出手段は、前記周波数変換手段による周波数変換後の前記映像変調信号を前記映像表示手段へ送出するものとして構成してもよい。このように構成された信号中継装置によれば、請求項４記載のインターホンシステムを構築することができ、その場合、請求項４と同様の作用、効果が得られる。
【００４９】
更にまた、この信号中継装置を、例えば請求項１８記載のように、伝送線から前記端末端子を介して供給される電源によって作動するよう構成してもよい。このように構成された信号中継装置によれば、請求項６又は７記載のインターホンシステムを構築でき、その場合、請求項６又は７と同様の作用、効果が得られる。
【発明を実施するための最良の形態】
【００５０】
以下に、本発明の好適な実施形態を図面に基づいて説明する。
［第１実施形態］
図１は、本実施形態の集合インターホンシステムの概略構成を示す構成図である。この集合インターホンシステムは、複数の個別住戸を備えた集合住宅であってその内部にテレビ共同受信システム（棟内ＣＡＴＶシステム）が構築されているものに対し、そのテレビ共同受信システム用の伝送線や伝送機器等を利用する構成のものである。そのため、集合インターホンシステムの説明に先立って、まずテレビ共同受信システムについて概略説明する。
【００５１】
図１に示す如く、本実施形態におけるテレビ共同受信システムは、ＦＭラジオ放送及びＶＨＦテレビ放送の各放送電波を受信するＶＨＦアンテナ１と、ＵＨＦテレビ放送の放送電波を受信するＵＨＦアンテナ２と、放送衛星及び通信衛星（本実施形態ではＢＳ及び１１０°ＣＳ）からの放送電波を受信し、その受信信号をコンバータにてケーブル伝送用の中間周波数帯の衛星受信信号（ＢＳ−ＩＦ信号）に変換して出力する衛星受信アンテナ３とを備える。
【００５２】
そして、これら各アンテナ１，２，３からの受信信号（テレビ信号）は、夫々、増幅器（ブースタ）４にて所定レベルまで増幅され、建造物内に配線された同軸ケーブルからなる伝送線Ｌ上に送出される。
【００５３】
尚、各アンテナ１，２，３の代わりに、例えば、外部のＣＡＴＶシステムからＣＡＴＶ信号を取り込むようにして、そのＣＡＴＶ信号を伝送線Ｌ上に送出するようにしてもよいし、各アンテナ１，２，３からのテレビ信号及び上記ＣＡＴＶ信号を共に伝送線Ｌ上に送出できるようにしてもよい。
【００５４】
伝送線Ｌは、ブースタ４から出力されたテレビ信号を、建造物内の各個別住戸（居室）に設置された端末端子８ａ，９ａ，１０ａ，・・・まで伝送するものであり、この伝送線Ｌ上には、分岐器（４分岐器）６、分配器（６分配器）７、分配器（４分配器）８，９，１０など、必要に応じて各種伝送用機器が設置されている。
【００５５】
本実施形態の集合住宅は、一例として、５階建てのものを示しており、図１では、そのうち５階及び４階に位置する各個別住戸２０，３０、及び、１階に位置する集合玄関設備１１を図示している。
【００５６】
そして、伝送線Ｌ上に設けられた分岐器６からの４系統の分岐出力のうち、２系統は５階へ、残りの２系統は４階へ、夫々出力される。このうち、５階への分岐出力（２系統）は、夫々、分配器８及び図示しない分配器（分配器８と同一構成）によって４分配される。つまり、５階においては結果としてトータル８分配されることになり、その分配出力の一つが、個別住戸２０内の端末端子８ａへ伝送される。また、４階への分岐出力（２系統）も、夫々、分配器９及び図示しない分配器（分配器９と同一構成）によって４分配される。つまり、４階においても結果としてトータル８分配されることになり、その分配出力の一つが、個別住戸３０内の端末端子９ａへ伝送される。
【００５７】
分配器７は、伝送線Ｌ上の信号を６分配するものであり、この６つの分配出力のうち、２系統は１階へ、他の２系統は２階へ、残りの２系統は３階へ、夫々出力される。このうち、１階への分配出力（２系統）は、夫々、分配器１０及び図示しない分配器（分配器１０と同一構成）によって４分配される。つまり、１階においても結果としてトータル８分配されることになり、その分配出力の一つが、集合玄関設備１１側へ伝送される。
【００５８】
また、２階への分配出力（２系統）は、夫々、図示しない分配器（分配器８，９，１０と同一構成）によって４分配され（トータルで８分配）、各分配出力は２階の各個別住戸（図示略）へ伝送される。つまり、分配器７からの分配出力（２階用の２系統）を２階の各部に伝送するための構成は、４階又は５階において分岐器６からの分岐出力（各階それぞれ２系統）を各部に伝送するための構成と同じである。３階についても同様である。
【００５９】
尚、本実施形態の分岐器６は、受信アンテナ１，２，３側から各端末端子への下り方向の信号のみを分岐するよう構成された、方向性を有する周知の分岐器であり、本発明（請求項４）の分岐手段に相当するものである。但し、入・出力端子及び各分岐端子の全ての端子の相互間を、直流及び低周波数帯域（本実施形態では例えば１００ｋＨｚ以下）の信号が通過可能な、全端子電流通過型の分岐器として構成されている。また、この分岐器６以外の図示しない他の分岐器、及び、各分配器７〜１０及び図示しない他の分配器についても、分岐器６と同様、全端子電流通過型として構成されている。つまり、低周波数帯域の信号（直流含む）については、伝送線Ｌ全体に伝送されることになる。
【００６０】
次に、本実施形態の集合住宅において、上記説明したテレビ共同受信システムと共に構築されている集合インターホンシステムの概略構成について説明する。本実施形態の集合インターホンシステムは、各個別住戸に備えられる居室インターホン装置と伝送線Ｌとを住戸用アダプタを介して接続すると共に、図示しない集合住宅の玄関に備えられる集合玄関設備と伝送線Ｌとを集合用アダプタを介して接続することにより、各個別住戸と集合玄関側との間の通話、及び集合玄関側の映像を各個別住戸側で見ることができるよう構成されている。
【００６１】
具体的には、５階に位置する個別住戸２０においては、端末端子８ａに住戸用アダプタ２１が接続され、この住戸用アダプタ２１に居室インターホン装置２２及びテレビ受像機（以下単に「ＴＶ」という）２３が接続されている。４階に位置する個別住戸３０においても同様に、端末端子９ａに住戸用アダプタ３１が接続され、この住戸用アダプタ３１に居室インターホン装置３２及びＴＶ３３が接続されている。また、１階においては、端末端子１０ａに集合用アダプタ１２が接続され、この集合用アダプタ１２に、集合玄関設備１１を構成する集合インターホン制御装置１３が接続されている。更にこの集合インターホン制御装置１３には、管理室親機１４及び集合玄関機１５が接続され、この集合玄関機１５にはドアロック装置１９が接続されている。尚、個別住戸については、個別住戸２０，３０はいずれも同一の構成であるため、以下の説明では、５階の個別住戸２０に基づいて説明する。
【００６２】
また、伝送線Ｌ上における、各受信アンテナ１，２，３の直下、即ち、テレビ信号が最初の信号分離手段である分岐器６にて分岐される前の範囲内に、周波数変換器５が設けられている。この周波数変換器５は、各端末端子から伝送されてくる上り信号を周波数変換し、下り信号として再び伝送線Ｌ上へ送出するためのものである。
【００６３】
本集合インターホンシステムにおいて、来客者はまず、集合玄関設備１１として設けられた集合玄関機１５（後述する図５参照）にて、訪問先の住戸を呼び出す。具体的には、図５に示すテンキー１５ａにより訪問先の部屋番号を入力することにより行い、部屋番号が入力されると、その入力された部屋番号に対応した識別信号が集合インターホン制御装置１３から集合用アダプタ１２及び分配器１０を介して伝送線Ｌ上へ送出される。
【００６４】
この識別信号は、上記の低周波数帯域内の信号（本実施形態では５２ｋＨｚ及び６８ｋＨｚ）であるため、伝送線Ｌ上の各分岐・分配器をそのまま通過して全ての個別住戸へ伝送される。そのため、５階の個別住戸２０にも伝送され、住戸用アダプタ２１を介して居室インターホン装置２２へ入力される。居室インターホン装置２２は、具体的には図３に示すように居室親機２６とモニタ装置２７とにより構成され、居室親機２６に入力された識別信号が自身（当該個別住戸２０）に対応したものであるか否かをみて、対応するものである場合は、来客があった旨をスピーカ２６ｂ（後述の図６参照）からの音声等によって居住者に知らせる。
【００６５】
ここで、集合玄関機１５及び居室親機２６の具体的構成について説明する。まず、集合玄関機１５は、図５に示す如く、部屋番号等を入力するテンキー１５ａと、個別住戸内の居住者からの音声を出力するスピーカ１５ｂ（本発明の玄関側スピーカ）と、来客者を撮影してその映像変調信号を出力するモニタカメラ１５ｃと、テンキー１５ａの入力内容などを表示する表示部１５ｄと、来客者が居住者と会話するために音声を入力してその音声信号（本発明の玄関側音声信号）を生成するマイク１５ｅ（本発明の玄関側マイク）とを備える。
【００６６】
一方、居室親機２６は、図６に示す如く、居住者が来客者と会話するために音声を入力してその音声信号（本発明の居室側音声信号）を生成し、且つ、音声信号として入力される来客者の声を音声にて出力するためのハンドセット２６ａ（本発明の居室側マイク及び居室側スピーカに相当）と、来客があった旨などを居住者に音声で知らせるためのスピーカ２６ｂと、集合玄関設備１１を構成する図示しない集合玄関扉のドアロック装置１９の解錠を指示するための集合玄関ドアロック解錠ボタン２６ｃと、来客があったとき等に点灯させるなど、各種状態を居住者に知らせるための呼出表示灯２６ｄとを備える。
【００６７】
よって、居室親機２６に入力された識別信号が自身に対応したものであった場合、上記のようにスピーカ２６ｂで知らせると共に、呼出表示灯２６ｄを点灯させ、ハンドセット２６ａにて来客者と会話が可能な状態となる。同時に、モニタ装置２７へモニタ起動信号を出力することによりモニタ装置２７を起動させて、モニタカメラ１５ｃで撮影された映像を表示させ、更に、モニタ起動信号を住戸用アダプタ２１にも入力することで、その映像がＴＶ２３にも入力され、ＴＶ２３における所定のｃｈにてその映像を見ることも可能となる。尚、居室親機２６からモニタ起動信号が出力された状態が、本発明（請求項１１）における「映像出力を許可」した状態に相当する。
【００６８】
管理室親機１４は、当該集合インターホンシステム全体を統括して管理する人のためのものであり、例えば各個別住戸内の機器を制御したり、また例えば、全ての個別住戸の居住者に対する一斉放送、一部（複数）の居住者に対する放送（ブロック放送）、或いは特定の居住者に対する放送（個別放送）を行ったりすることができる。
【００６９】
集合玄関機１５からの音声信号及びＦＭ映像変調信号は、集合インターホン制御装置１３を介して集合用アダプタ１２に入力される。そして、集合用アダプタ１２では、入力された音声信号（ベースバンド）をＦＭ変調し、ＦＭ映像変調信号と共に、本テレビ共同受信システムにおける上り信号周波数帯域（本実施形態では１０〜５５ＭＨｚ）内の所定の周波数（本実施形態では中心周波数２６ＭＨｚで帯域幅が約６ＭＨｚ）に周波数変換（アップコンバート）して集合側送信信号（上り）として伝送線Ｌ上へ送出する。図７に、本実施形態における伝送線Ｌ上を伝送される各種信号の周波数配列例を示す。
【００７０】
この集合側送信信号（上り）は、伝送線Ｌ上を上り方向に伝送され、分岐器６を通過して周波数変換器５に入力される。そして、この周波数変換器５にて、本テレビ共同受信システムにおける下り信号周波数帯域（本実施形態では７０〜７７０ＭＨｚ）内の所定の周波数（本実施形態では中心周波数５０９ＭＨｚで帯域幅が約６ＭＨｚ）の集合側送信信号（下り）に周波数変換して、再び伝送線Ｌ上へ送出する。この集合側送信信号（下り）は、分岐器６にて分岐され、さらに分配器８で分配された後、端末端子８ａを介して住戸用アダプタ２１へ入力される。そして、この住戸用アダプタ２１にて、元のＦＭ映像変調信号に周波数変換（ダウンコンバート）、及び元の音声信号（ベースバンド）に復調され、居室インターホン装置２２やＴＶ２３へ出力される。
【００７１】
一方、居室親機２６からの音声信号は、住戸用アダプタ２１にてＦＭ変調され、更に、上り信号周波数帯域内における所定の周波数（本実施形態では中心周波数２０ＭＨｚで帯域幅が約６ＭＨｚ）の居室側送信信号（上り）に周波数変換されて伝送線Ｌ上へ送出される。
【００７２】
この居室側送信信号（上り）は、分配器８及び分岐器６を介して周波数変換器５まで伝送され、この周波数変換器５にて、下り信号周波数帯域内における所定の周波数（本実施形態では中心周波数５０３ＭＨｚで帯域幅が約６ＭＨｚ）の居室側送信信号（下り）に周波数変換して、再び伝送線Ｌ上へ送出する。この居室側送信信号（下り）は、分岐器６、分配器７、分配器８及び端末端子１０ａを介して集合用アダプタ１２に入力される。そして、この集合用アダプタ１２にて、元の音声信号に復調され、集合インターホン制御装置１３を介して集合玄関機１５へ入力される。
【００７３】
なお、集合インターホン制御装置１３からは、上記の識別信号を含む各種制御信号（本発明の玄関側制御信号）も集合用アダプタ１２へ出力されるが、この制御信号は、本実施形態では低周波数帯域内における５２ｋＨｚ及び６８ｋＨｚのＦＳＫ（Frequency Shift Keying）信号であるため、そのままの周波数で各個別住戸へ伝送される。この制御信号は、主として居室インターホン装置２２の動作を制御するためのものである。
【００７４】
また、居室インターホン装置２２から（詳細には居室親機２６から）も、集合玄関機１５や集合インターホン制御装置１３等を制御するための制御信号（本発明の居室側制御信号）が住戸用アダプタ２１へ出力されるが、これについても、集合インターホン制御装置１３からの制御信号（上記ＦＳＫ信号）が、そのまま集合玄関設備１１側へ伝送される。そして、集合玄関設備１１内の各部は、制御信号が入力されるとそれに基づいて作動する。
【００７５】
集合インターホン制御装置１３からの制御信号としては、例えば、終話・呼出・通話・設定表示・初期化などがある。逆に、居室親機２６からの制御信号としては、例えば、拒否・受付・警報・状態通知・初期化などがある。
【００７６】
尚、集合側送信信号（上り）は、本発明の映像変調信号及び玄関側音声変調信号を構成し、居室側送信信号（上り）は、本発明の居室側音声変調信号に相当し、集合側送信信号（下り）は、本発明の第１周波数帯域内の信号に相当し、居室側送信信号（下り）は、本発明の第２周波数帯域内の信号に相当する。また、モニタ装置２７及びＴＶ２３はいずれも本発明の映像表示手段に相当するものである。また、ドアロック装置１９は本発明の施錠装置に相当し、集合玄関ドアロック解錠ボタン２６ｃは本発明の解錠手段に相当する。
【００７７】
次に、玄関側信号中継装置としての集合用アダプタ１２の内部構成について、図２に基づいて説明する。図２は、集合用アダプタ１２の概略構成を示すブロック図である。図２に示す如く、本実施形態の集合用アダプタ１２では、集合玄関機１５から制御機１８を介して入力される音声信号（ベースバンド）がＦＭ音声変調部４１へ入力され、所定周波数のＦＭ音声信号に変調される。
【００７８】
このＦＭ音声信号は、集合玄関機１５からの映像変調信号（ベースバンド）が映像制御機１７にてＦＭ変調された状態で入力されるＦＭ映像変調信号と共にアップコンバータ４２へ入力され、集合側送信信号（上り）（中心周波数２６ＭＨｚ）に変換される。そして、この集合側送信信号（上り）は、デュープレックスフィルタ（Duplex Filter ）と呼ばれる、カットオフ周波数が例えば１０ＭＨｚのハイパスフィルタ（以下「ＨＰＦ」という）４３と、カットオフ周波数が例えば５５ＭＨｚのローパスフィルタ（以下「ＬＰＦ」という）４４とを介して端末端子１０ａへ送出される。
【００７９】
一方、伝送線Ｌを介して伝送されてきた居室側送信信号（下り）（中心周波数５０３ＭＨｚ）は、ＨＰＦ４５（カットオフ周波数が例えば７０ＭＨｚ）を介してチューナ４６に入力され、ここで、所望の音声変調信号が選局される。そして、ＳＡＷフィルタ（通過帯域が例えば５００〜５０６ＭＨｚ）４７にてフィルタリングされた後、ＦＭ音声復調部４８にて元の音声信号（ベースバンド）に復調され、制御機１８へ入力される。制御機１８はその音声信号を集合玄関機１５へ出力し、これにより、集合玄関機１５のスピーカ１５ｂから音声出力されることになる。尚、管理室親機にも音声信号を出力して図示しないスピーカ等から音声出力することもできる。
【００８０】
また、制御機１８は、集合玄関機１５の各部の状態等に基づく各種制御信号を集合用アダプタ１２へ出力すると共に、個別住戸側から伝送され、ＬＰＦ４４，ＬＰＦ４９（カットオフ周波数が例えば１０ＭＨｚ）及びＨＰＦ５０（カットオフ周波数が例えば１０ｋＨｚ）を介して入力される制御信号に基づく各種制御動作を行う。そのため、例えば個別住戸２０において、集合玄関ドアロック解錠ボタン２６をオンすると、その旨が制御信号（解錠信号）として集合玄関設備１１内の制御機１８へ伝送され、この制御機１８が、集合玄関機１５を制御してドアロック装置１９を解錠させる。
【００８１】
映像制御機１７は、映像変調信号の制御の他、個別住戸側の各機器（例えば個別住戸２０における住戸用アダプタ２１、モニタ装置２７など）の動作用電源（例えばＤＣ電源）を生成する電源供給機能を備えており、ここで生成されたＤＣ電源は、直流成分のみを通過させるＬＰＦ５１、ＬＰＦ４９及びＬＰＦ４４を介して端末端子１０ａへ送出され、伝送線Ｌを介して各個別住戸側へ供給される。つまり、映像制御機１７は本発明の電源供給手段としても機能するものである。なお、映像制御機１７の代わりに、集合用アダプタ１２が電源供給機能を備えてもよい。
【００８２】
ここで、ＦＭ映像変調信号及びＦＭ音声信号が１チャンネル固定であれば、アップコンバータ４２における周波数変換動作も固定である。つまり、局発信号の周波数を固定化できる。しかし、例えば集合玄関機１５を複数備え、複数チャンネルのＦＭ映像変調信号及びＦＭ音声信号にて伝送する場合、チャンネルに応じた周波数変換を行う必要がある。このような場合、映像制御機１７からＣＰＵ５２へチャンネル選択信号を送信するようにし、ＣＰＵ５２が、そのチャンネル選択信号に応じた周波数変換をアップコンバータ４２が行うようにアップコンバータ４２を制御する。
【００８３】
尚、集合用アダプタ１２内において、ＦＭ映像信号がアップコンバータ４２，ＨＰＦ４３及びＬＰＦ４４を経て伝送線Ｌ側へ伝送される経路が本発明の第１映像変調信号送出手段に相当し、ＦＭ音声復調部４８は本発明の居室音声復調手段に相当し、ＦＭ音声変調部４１は本発明の玄関音声変調手段に相当する。
【００８４】
次に、居室側信号中継装置としての住戸用アダプタ２１の内部構成について、図３に基づいて説明する。図３は、住戸用アダプタ２１の概略構成を示すブロック図である。図３に示す如く、本実施形態の住戸用アダプタ２１では、居室親機２６からの音声信号（ベースバンド）がＦＭ音声変調部６１にてＦＭ音声信号に変調され、これが居室側送信信号（上り）として、ＨＰＦ６２（カットオフ周波数が例えば１０ＭＨｚ）及びＬＰＦ６３（カットオフ周波数が例えば５５ＭＨｚ）を介して出力される。
【００８５】
また、居室親機２６から集合用アダプタ１２側への制御信号、及び集合用アダプタ１２から居室親機２６への制御信号は、いずれも、ＬＰＦ６３、ＬＰＦ６４（カットオフ周波数が例えば１０ＭＨｚ）及びＨＰＦ６５（カットオフ周波数が例えば１０ｋＨｚ）を介して伝送される。
【００８６】
一方、集合玄関設備１１から出力され、周波数変換器５にて周波数変換された集合側送信信号（下り）（中心周波数５０９ＭＨｚ）は、ＨＰＦ６６（カットオフ周波数が例えば７０ＭＨｚ）を介してチューナ６７へ入力される。また、受信アンテナ１，２，３からのテレビ信号も、このＨＰＦ６６を介して入力され、そのままこの住戸用アダプタ２１を通過してＴＶ２３へ入力される。これにより、ＴＶ２３にて各種テレビ放送を視聴することができる。尚、端末端子８ａ側からＨＰＦ６６を介してＴＶ２３へ出力されるまでのテレビ信号の伝送経路が、本発明の受信信号通過手段に相当する。
【００８７】
チューナ６７では、入力された集合側送信信号（下り）が５４〜６０ＭＨｚの中間周波数（ＩＦ）にて出力され、この中間周波数の信号がＳＡＷフィルタ６８（通過帯域が例えば５４〜６１ＭＨｚ）へ入力される。この中間周波数の信号は、具体的には、図８に示すように、中心周波数が５４．２５ＭＨｚ、ＦＭ周波数偏移が±５ｋＨｚのＦＭ音声信号と、中心周波数が５８．７５ＭＨｚ、ＦＭ周波数偏移が−１．８〜＋０．２ＭＨｚのＦＭ映像変調信号とにより構成される。
【００８８】
このうち、ＦＭ音声信号は、ＬＰＦ６９（カットオフ周波数が例えば５５ＭＨｚ）を介してＦＭ音声復調部７０へ入力され、ここで音声信号（ベースバンド）に復調されて居室親機２６及びＲＦモジュレータ７１へ入力される。
【００８９】
ＦＭ映像変調信号は、ＨＰＦ７２（カットオフ周波数が例えば５７ＭＨｚ）を介してダウンコンバータ７３へ入力される。ダウンコンバータ７３は、入力されたＦＭ映像変調信号を、集合用アダプタ１２内のアップコンバータ４２でアップコンバートされる前の周波数に周波数変換（ダウンコンバート）して、モニタ装置２７及びＦＭ映像復調部７４へ出力する。これにより、モニタ装置２７にて映像を見ることができるようになる。
【００９０】
一方、ＦＭ映像復調部７４に入力されたＦＭ映像変調信号は、映像変調信号（ベースバンド）にＦＭ復調されてＲＦスイッチ７５へ入力される。このＲＦスイッチ７５は、ＦＭ映像復調部７４からＲＦモジュレータ７１への映像変調信号の出力をオン・オフするためのものであり、モニタ起動信号が出力されたとき、つまり当該個別住戸２０が識別信号によって指定されたとき、オンとなって映像変調信号がＲＦモジュレータ７１へ入力される。ＲＦモジュレータ７１は、この映像変調信号、及び、ＦＭ音声復調部７０からの音声信号を、ＴＶ２３にて視聴可能な周波数（チャンネル）の信号に変調して、ＴＶ２３へ出力する。これにより、集合玄関機１５のモニタカメラ１５ｃで撮影された画像及びスピーカ１５ｂに入力された音声を、個別住戸２０内のＴＶ２３にて視聴することが可能となる。
【００９１】
尚、本実施例では、映像変調信号をＲＦスイッチ７５にてオン・オフするように構成したが、これに代えて例えば、モニタ起動信号によってＲＦモジュレータ７１の電源をオン・オフする構成としてもよい。つまり、識別信号によって自身が指定されたときに、ＲＦモジュレータ７１の電源をオンして映像変調信号を変調させるのである。
【００９２】
集合インターホン制御装置１３内の映像制御機１７にて生成され、伝送線Ｌを介して供給されるＤＣ電源は、ＬＰＦ６３、ＬＰＦ６４、及びＬＰＦ７６（ＤＣ成分のみ通過）を介してモニタ装置２７へ入力される。これにより、モニタ装置２７は、このＤＣ電源によって作動することが可能となる。またこのＤＣ電源は、住戸用アダプタ２１自体の動作用電源にもなる。
【００９３】
尚、住戸用アダプタ２１やモニタ装置２７を、独立して外部商用電源（ＡＣ１００Ｖ等）を取り込み、それをDC変換して生成したDC電源によって作動するように構成することも可能である。また、住戸用アダプタ２１において、伝送線Ｌから入力されるＦＭ映像信号がチューナ６７，ＳＡＷフィルタ６８，ＨＰＦ７２及びダウンコンバータ７３を介してモニタ装置２７側へ伝送される経路が本発明の第２映像変調信号送出手段に相当し、ＦＭ音声変調部６１は本発明の居室音声変調手段に相当し、ＦＭ音声復調部７０は本発明の玄関音声復調手段に相当する。
【００９４】
次に、周波数変換器５について、図４に基づいて説明する。図４は、本実施形態の周波数変換器の概略構成を示すブロック図である。図４に示す如く、周波数変換器５では、集合側送信信号（上り）及び居室側送信信号（上り）が、ＬＰＦ８９（カットオフ周波数が例えば５５ＭＨｚ）、ＬＰＦ８８（カットオフ周波数が例えば３０ＭＨｚ）及びＨＰＦ８５（カットオフ周波数が例えば１５ＭＨｚ）を介して混合器８３へ入力され、ここで、局部発振器８４からの所定周波数の局発信号によって下り信号に周波数変換される。そして、周波数変換後の信号である集合側送信信号（下り）及び居室側送信信号（下り）は、分配器（３分配器）８２及びＨＰＦ９０（カットオフ周波数が例えば７０ＭＨｚ）を介して再び伝送線Ｌ上を下り方向に送出される。なお、受信アンテナ１，２，３からのテレビ信号は、分配器８１、８２及びＨＰＦ９０を介して伝送線Ｌ上へ送出される。
【００９５】
また、図示は省略したものの、本テレビ共同受信システムが外部のＣＡＴＶシステムに接続され、そのＣＡＴＶシステムを介してＣＡＴＶインターネットを行うことも可能である。その場合、各端末端子からのＣＡＴＶインターネット用上り信号は、周波数変換器５において、ＬＰＦ８９、ＨＰＦ８７（カットオフ周波数が例えば３０ＭＨｚ）及び分配器８１を介してブースタ４側（上り方向）に伝送される。
【００９６】
以上説明した本実施形態の集合インターホンシステムによれば、１階の集合玄関設備１１側においては、集合インターホン制御装置１３と端末端子１０ａとを集合用アダプタ１２を介して接続することで、集合玄関設備１１からの各種信号が伝送線Ｌを介して各個別住戸へ伝送されるようになる。また、個別住戸２０においては、居室インターホン装置２２と端末端子８ａとを住戸用アダプタ２１で接続することで、居室インターホン装置２２からの各種信号が伝送線Ｌを介して集合玄関設備１１側へ伝送されるようになる。
【００９７】
つまり、映像変調信号伝送用の配線が敷設されていないインターホンシステムが既設された住宅において、少なくとも上記各アダプタ及びモニタ装置２７を新たに設けることで、既存の機器（居室親機２６や集合玄関機１５、制御機１８、ドアロック装置１９等）をそのまま利用しつつ、モニタ機能付のテレビインターホンシステムを構築することが可能となる。
【００９８】
また、仮に既存の機器を利用できない場合、或いは利用可能ではあるが機器を全て一新したい場合などにおいても、居室親機や集合玄関設備については市販のモニタ機能付のものを利用（購入）でき、新たに開発・設計が必要となるのは上記各アダプタのみで足りる。そのため、テレビ共同受信システム用の伝送線Ｌを利用して音声信号・映像変調信号を伝送可能な集合インターホンシステムを、容易に且つ低コストで構築できる。
【００９９】
また、住戸用アダプタ２１は、受信アンテナ１，２，３からのテレビ信号をそのまま外部に出力可能に構成されているため、一つの端末端子を、テレビ信号の取得用及び集合インターホンシステム用として同時に使用することができ、仮に一つの住戸内に端末端子が一つしかない場合であってもテレビ放送視聴及び集合インターホンシステムの利用が共に可能となる。
【０１００】
更に、周波数変換器５を設けることにより、端末端子側からの上り信号を下り信号に変換して再び端末端子側に伝送するようにしているため、集合玄関設備１１と各個別住戸との相互間信号授受が確実に行われる。
【０１０１】
更にまた、住戸用アダプタ２１及びモニタ装置２７は、集合玄関設備１１側から供給されてくるDC電源によって作動するよう構成されているため、これら各機器２１，２７に別途、商用電源を取り込んでDC電源に変換するといった一般的な電源回路等を設ける必要はなく、各機器２１，２７の構成のさらなる簡素化を可能としている。
【０１０２】
［第２実施形態］
上記第１実施形態では、例えば集合玄関機１５を複数備え、複数チャンネルのＦＭ映像変調信号及びＦＭ音声信号にて伝送する場合に、チャンネルに応じた周波数変換を行うことができるよう、映像制御機１７からＣＰＵ５２へチャンネル選択信号を送信するようにした。そして、このチャンネル選択信号に基づいてＣＰＵ５２がアップコンバータ４２を制御することにより、アップコンバータ４２がチャンネル選択信号に応じた周波数変換を行うようにした。更に、このチャンネル選択信号を制御信号の一つとして個別住戸（居室親機）側にも伝送することにより、例えば５階の個別住戸２０において、居室親機２６から住戸用アダプタ２１内のＣＰＵ７７へチャンネル選択信号を送信するようにした。これにより、ＣＰＵ７７がチューナ６７及びダウンコンバータ７３を制御することにより、所望のチャンネルの音声信号・映像変調信号を取得できることができた。
【０１０３】
これに対し、本実施形態では、集合玄関設備１１と各個別住戸２０，３０，・・・との間で伝送されるＦＭ音声信号、ＦＭ映像変調信号の周波数を固定（１チャンネルのみ）することにより各アダプタ１２，２１等の構成を簡略化し、延いては当該集合インターホンシステム全体の構成を簡略化するようにした。
【０１０４】
まず、本実施形態の集合用アダプタについて、図９に基づいて説明する。図９に示す如く、本実施形態の集合用アダプタ１３５は、第１実施形態の集合用アダプタ１２（図２参照）と比較し、主として、ＬＰＦ５１及びＨＰＦ５０からなるデュープレックスフィルタ，アップコンバータ４２及びチューナ４６を省いた点、及び、制御信号の伝送系路上にDC電源カット用のコンデンサ１３７を設けた点が異なる。そのため、図２の集合用アダプタ１２と同じ構成要素には同じ符号を付し、その詳細説明を省略する。なお、第１実施形態では、下り信号周波数帯域の上限を７７０ＭＨｚとした例を示したが（図７参照）、本実施形態では、７７０ＭＨｚ以上の周波数であっても下り信号として伝送線Ｌ上を伝送できるよう構成されている。
【０１０５】
映像制御機１７から出力されるＦＭ映像変調信号の中心周波数は、集合玄関機１５のモニタカメラ１５ｃ（図５参照）がカラー撮像用の場合は例えば１２ＭＨｚであり、白黒撮像用の場合は例えば６ＭＨｚ又は１８ＭＨｚである。詳細には、図１２（ａ）に示す通り、所定の帯域幅を有する。
【０１０６】
ＦＭ映像変調信号が白黒映像（６ＭＨｚ又は１８ＭＨｚ）であって各個別住戸２０，３０，・・・が備えるモニタ装置２７も白黒モニタ装置である場合、モニタ装置２７では、６ＭＨｚのＦＭ映像変調信号が入力された場合はそのまま信号処理し、１８ＭＨｚのＦＭ映像変調信号が入力された場合は、内部で一旦１／３の６ＭＨｚにした後、信号処理する。つまり、モニタ装置２７が白黒用の場合、内部の信号処理は全て６ＭＨｚにして行われる。なお、白黒用のＦＭ映像変調信号を、上記のように二種類ではなくいずれか一種類のみとしてもよいことはいうまでもない。
【０１０７】
一方、ＦＭ映像変調信号がカラー映像（１２ＭＨｚ）であって各個別住戸２０，３０，・・・が備えるモニタ装置２７もカラーモニタ装置である場合、モニタ装置２７では、入力される１２ＭＨｚのＦＭ映像変調信号を信号処理してカラー映像表示させる。このように、モニタカメラ１５ｃや映像制御機１７の構成によって、映像制御機１７から出力されるＦＭ映像変調信号の種類（カラー又は白黒）や周波数は異なるが、何れの場合も、ＦＭ音声信号（本実施形態では１０．６４ＭＨｚ。図１２（ａ）参照。）と共に、ＨＰＦ１４３（カットオフ周波数が例えば５ＭＨｚ）、ＬＰＦ４４を介して伝送線Ｌ上へ送出される。ＦＭ音声信号（１０．６４ＭＨｚ）は、制御機１８からの音声信号（ベースバンド）がＦＭ音声変調部１３８によってＦＭ変調されたものである。
【０１０８】
また、例えば個別住戸２０側から伝送されてくるＦＭ音声信号（本実施形態では７６９．２４ＭＨｚの下り信号。図１２（ｂ）参照。）は、ＨＰＦ４５を介してダウンコンバータ１３９に入力される。このダウンコンバータでは、ＨＰＦ４５を介して入力された信号が局部発振器１４０からの局部発振信号（本実施形態では７８０ＭＨｚ）によって周波数変換される。そして、周波数変換後の信号のうち１０．７６ＭＨｚ帯のＦＭ音声信号がＢＰＦ１４１によって抽出され、ＦＭ音声復調部１４２にてベースバンドに復調される。ＢＰＦ１４１によって抽出される１０．７６ＭＨｚのＦＭ音声信号は、後述する住戸用アダプタ１２３から出力されたものである（図１２（ａ）参照）。
【０１０９】
また、制御信号は、ＬＰＦ４４，ＬＰＦ１３６（カットオフ周波数が例えば１ＭＨｚ），及びコンデンサ１３７を介して双方向に伝送され、映像制御機１７からのＤＣ電源は、ＬＰＦ１３６及びＬＰＦ４４を介して伝送線Ｌ上へ送出（供給）される。
【０１１０】
次に、本実施形態の住戸用アダプタについて、図１０に基づいて説明する。図１０に示す如く、本実施形態の住戸用アダプタ１２３は、第１実施形態の住戸用アダプタ２１（図３参照）と比較し、主として、ＬＰＦ７６及びＨＰＦ６５からなるデュープレックスフィルタ，ダウンコンバータ７３及びチューナ６７を省いた点、ＦＭ映像変調信号を居室インターホン装置２２内のモニタ装置２７にのみ出力し、ＴＶ２３で映像を見るための構成要素（ＲＦスイッチ７５やＲＦモジュレータ７１等）を省いた点、伝送線Ｌから入力される信号からＦＭ音声信号とＦＭ映像変調信号とを抽出するためのフィルタ構成を変更した点、及び、制御信号の伝送系路上にDC電源カット用のコンデンサ１２５を設けた点などが異なる。そのため、図３の住戸用アダプタ２１と同じ構成要素には同じ符号を付し、その詳細説明を省略する。
【０１１１】
居室親機２６から出力される音声信号（ベースバンド）は、ＦＭ音声変調部１２６にて例えば１０．７６ＭＨｚのＦＭ音声信号（図１２（ａ）参照）に変調され、ＨＰＦ６２及びＬＰＦ６３を介して伝送線Ｌ上に送出される。
【０１１２】
一方、伝送線Ｌから入力される各種下り信号は、分配器１２７を介してダウンコンバータ１２８とＴＶ２３とに分配される。これにより、ＴＶ２３では、各受信アンテナ１，２，３からのテレビ信号を入力してテレビ番組を視聴することができる。ダウンコンバータ１２８では、分配器１２７にて分配された入力信号が局部発振器１２９からの局部発振信号（本実施形態では７８０ＭＨｚ）によって周波数変換される。
【０１１３】
そして、周波数変換後の信号のうち、集合用アダプタ１３５から出力された１０．６４ＭＨｚ帯のＦＭ音声信号がＢＰＦ１３０によって抽出され、ＦＭ音声復調部１３１にてベースバンドに復調される。また、ダウンコンバータ１２８による周波数変換後の信号は、１０．６４ＭＨｚ帯の信号のみを取り除くバンドエリミネートフィルタ（以下「ＢＥＦ」という）１３２にも入力され、ここでＦＭ音声信号がカットされた後、さらにＢＰＦ１３３（通過帯域が例えば５〜２１ＭＨｚ）を通過することで、ＦＭ映像変調信号が抽出される。このＦＭ映像変調信号も集合用アダプタ１３５から出力されたもので、既述の通り、カラーの場合は１２ＭＨｚであり、白黒の場合は、６ＭＨｚ又は１８ＭＨｚである。
【０１１４】
また、制御信号は、ＬＰＦ６３，ＬＰＦ１２４（カットオフ周波数が例えば５ＭＨｚ），及びコンデンサ１２５を介して双方向に伝送され、映像制御機１７から伝送線Ｌを介して供給されてきたＤＣ電源は、ＬＰＦ６３及びＬＰＦ１２４を介してモニタ装置２７へ供給される。
【０１１５】
次に、本実施形態の周波数変換器について、図１１に基づいて説明する。図１１に示す如く、本実施形態の周波数変換器１６０は、図４で説明した第１実施形態の周波数変換器５と比較し、主として、分配器８２（３分配器）を、２分配器である分配器１６５にした点、ＬＰＦ１６３（図４のＬＰＦ８６に相当）に出力側を７５Ωの終端抵抗に接続した点が異なる。そのため、図４の周波数変換器５と同じ構成要素には同じ符号を付し、その詳細説明を省略する。
【０１１６】
周波数変換器１６０では、集合側送信信号（上り）及び居室側送信信号（上り）が、ＬＰＦ８９、ＬＰＦ１６１（カットオフ周波数が例えば２１ＭＨｚ）及びＨＰＦ１６２（カットオフ周波数が例えば１５ＭＨｚ）を介して混合器８３へ入力され、ここで、局部発振器１６４からの所定周波数（本実施形態では７８０ＭＨｚ）の局部発振信号によって下り信号に周波数変換される。そして、周波数変換後の信号である集合側送信信号（下り）及び居室側送信信号（下り）は、分配器１６５及びＨＰＦ９０を介して再び伝送線Ｌ上を下り方向に送出される。なお、受信アンテナ１，２，３からのテレビ信号は、分配器８１、１６５及びＨＰＦ９０を介して伝送線Ｌ上へ送出される。
【０１１７】
この周波数変換器１６０による周波数変換前後の各信号の周波数配列の具体例は、図１２に示す通りである。即ち、 図１２（ａ）に示す、集合用アダプタ１３５から上り信号として出力されたＦＭ音声信号（１０．６４ＭＨｚ）は、図１２（ｂ）に示すように７６９．３６ＭＨｚのＦＭ音声信号に変換され、下り信号として伝送線Ｌ上へ送出される。
【０１１８】
同じく、集合用アダプタ１３５から上り信号として出力されたＦＭ映像変調信号（カラーの場合は１２ＭＨｚ、白黒の場合は６ＭＨｚ又は１８ＭＨｚ）は、図１２（ｂ）に示すように、カラーの場合は７６８ＭＨｚ、白黒の場合は７６２ＭＨｚ又は７７４ＭＨｚのＦＭ映像変調信号に周波数変換され、下り信号として伝送線Ｌ上へ送出される。
【０１１９】
更に、図１２（ａ）に示す、住戸用アダプタ１２３から上り信号として出力されたＦＭ音声信号（１０．７６ＭＨｚ）も、図１２（ｂ）に示すように７６９．２４ＭＨｚのＦＭ音声信号に変換され、下り信号として伝送線Ｌ上へ送出される。
【０１２０】
以上説明した本実施形態の集合インターホンシステムによれば、集合用アダプタ１３５が、映像制御機１７からのＦＭ映像変調信号をそのままの周波数でＦＭ音声信号と混合して伝送線Ｌ上へ出力させる構成であり、しかも、伝送周波数を固定することによって、第１実施形態のようなチューナ４６（図２参照）による選局等を不要とし、更に、第１実施形態ではデュープレックスフィルタ（ＨＰＦ５０，ＬＰＦ５１）によって行っていたDC電源と制御信号の分離を単にコンデンサ１３７によって実現したため、集合用アダプタ１３５の回路構成を簡略化することが可能となる。
【０１２１】
また、住戸用アダプタ１２３においても、ＦＭ映像変調信号の周波数変換が不要になると共に、第１実施形態のチューナ６７（図３参照）による選局等も不要となり、更に、ＦＭ映像変調信号をモニタ装置２７のみへ出力するようにしたことや、集合用アダプタ１３５と同様、デュープレックスフィルタによるDC電源と制御信号の分離をコンデンサ１２５によって実現したこと等により、住戸用アダプタ１２３の回路構成を簡略化することも可能となる。
【０１２２】
尚、本実施形態において、ＦＭ映像変調信号の周波数例として、カラーの場合は１２ＭＨｚ、白黒の場合は６ＭＨｚ又は１８ＭＨｚとして説明したが、例えば、白黒用のＦＭ映像変調信号の周波数が１８ＭＨｚだけの場合、住戸用アダプタ１２３におけるＢＥＦ１３２は不要となり、且つ、ＢＰＦ１３３を例えば通過帯域１１〜２１ＭＨｚのものにすればよい。つまり、集合インターホンシステムで使用するＦＭ映像変調信号とＦＭ音声信号とを分離できる限り、住戸用アダプタ１２３におけるダウンコンバータ１２８出力側のフィルタ構成（本実施形態ではＢＰＦ１３０，１３３及びＢＥＦ１３２）は適宜構成することができる。
【０１２３】
また、通常、一つの集合住宅内でカラー映像と白黒映像を同時に使用することはないため、カラーのＦＭ映像変調信号と白黒のＦＭ映像変調信号を共に同じ周波数（例えば１２ＭＨｚ）にすることも可能である。そしてこの場合、モニタ装置２７として、カラー及び白黒のいずれも同じ周波数（例えば１２ＭＨｚ）で処理されるものとして構成されたものを用いれば、例えば１２ＭＨｚのカラーＦＭ映像変調信号が入力された場合はカラー映像を表示し、白黒のＦＭ映像変調信号が入力された場合は白黒映像を表示させることが可能となる。
【０１２４】
［変形例］
尚、本発明の実施の形態は、上記各実施形態に何ら限定されるものではなく、本発明の技術的範囲に属する限り種々の形態を採り得ることはいうまでもない。
【０１２５】
例えば、上記第１実施形態では伝送線Ｌ上に周波数変換器５を設けたが、この周波数変換器５を設けず、伝送線Ｌ上に設けられる分岐器（分岐器６など）を全て双方向分岐器として構成するようにしてもよい。即ち、例えば図１３に示すように、信号の入・出力ライン上に分岐器９３及び分岐器９４を設け、分岐器９３からの分岐出力がＨＰＦ９５を介して出力され、分岐器９４からの分岐出力がＬＰＦ９６を介して出力されるよう構成されたものである。ただし、図１３の双方向分岐器９２は、分岐出力が一つのみの場合を例示している。そのため、例えば分岐器６のような４分岐出力タイプのものを双方向型として構成する場合は、図１３に示した双方向分岐器９２を例えば並列に４つ接続するとよい。このように、伝送線Ｌ上の分岐器として双方向分岐器を採用することで、周波数変換器５を設ける必要がなくなる。第２実施形態の場合も、上記同様、周波数変換器１６０を省略することが可能となる。
【０１２６】
また例えば、上記各実施形態では、映像制御機１７がＤＣ電源供給機能を備えているものとして説明したが、これに限らず例えば周波数変換器５が同様のＤＣ電源機能を備えるようにしてもよい。具体的には、図１４に示すように、外部の商用電源（ＡＣ１００Ｖ）を電源部１５１にてＤＣ電源に変換し、これを電源フィルタ１５２を介して伝送線Ｌ上へ送出するのである。この電源フィルタ１５２は、ＤＣ電源を下り方向のみに送出させるためのものである。第２実施形態で説明した図１１の周波数変換器１６０についても、図１４と全く同様、電源部１５１及び電源フィルタ１５２を設けることで、電源供給機能を備えることが可能となる。
【０１２７】
更に、例えば図１５に示すように、伝送線Ｌ上に伝送機器を多数備え、上記実施形態（図１）よりも多くの端末端子（個別住戸）を備えた大規模な集合インターホンシステムを構築する場合、伝送線Ｌ上に適宜双方向増幅器を設けることにより、信号レベルを十分に確保できるようにするとよい。図１５では、分配器１１１の下流側に双方向増幅器１０２，１０３を設け、分岐器６と分配器１１３との間に双方向増幅器１０４を設け、分配器１１６の下流側に双方向増幅器１０７を設け、分配器１１７の下流側に双方向増幅器１０５、１０６を設けた場合を示している。
【０１２８】
更にまた、モニタカメラ１５ｃで撮影した映像を各個別住戸で見る方法として、上記第１実施形態では、モニタ装置２７とＴＶ２３（３３）の双方で見ることができる例を示し、第２実施形態では、モニタ装置２７のみで見ることができる例を示したが、これ以外に例えば、モニタ装置２７を設けず、ＴＶ２３（３３）への表示のみとすることもできる。
【０１２９】
そして、上記実施形態では、集合住宅における集合玄関側と各個別住戸との間でインターホン用の各種信号を伝送する場合について説明したが、集合住宅に限らず、例えば一住戸における居室親機と玄関子機との間に構築することもできる。例えば複数の端末端子が備えられている住戸において、いずれか一つの端末端子（例えば住戸玄関に最も近い、つまり玄関子機に最も近い位置の端末端子）にアダプタを介して玄関子機を接続し、別の端末端子にアダプタを介して居室親機を接続する。そして、各アダプタ間のＣＡＴＶ伝送線上における所定位置に周波数変換器を設ければよい。
【図面の簡単な説明】
【０１３０】
【図１】第１実施形態の集合インターホンシステムの概略構成を示す構成図である。
【図２】第１実施形態の集合用アダプタの概略構成を示すブロック図である。
【図３】第１実施形態の住戸用アダプタの概略構成を示すブロック図である。
【図４】第１実施形態の周波数変換器の概略構成を示すブロック図である。
【図５】第１実施形態の集合玄関機の概略構成を示す説明図である。
【図６】第１実施形態の居室親機の概略構成を示す説明図である。
【図７】第１実施形態の伝送線Ｌ上を伝送される各種信号の周波数スペクトルを示す説明図である。
【図８】第１実施形態の住戸用アダプタ内におけるＦＭ音声信号及びＦＭ映像変調信号（いずれもＩＦ）の周波数スペクトルを示す説明図である。
【図９】第２実施形態の集合用アダプタの概略構成を示すブロック図である。
【図１０】第２実施形態の住戸用アダプタの概略構成を示すブロック図である。
【図１１】第２実施形態の周波数変換器の概略構成を示すブロック図である。
【図１２】第２実施形態の伝送線Ｌ上を伝送される各種信号（映像・音声）の周波数スペクトルを示す説明図である。
【図１３】双方向分岐器の概略構成を示す説明図である。
【図１４】電源供給機能を備えた周波数変換器の概略構成を示す説明図である。
【図１５】集合インターホンシステムの他の例を示す説明図である。
【符号の説明】
【０１３１】
１…ＶＨＦアンテナ、２…ＵＨＦアンテナ、３…衛星受信アンテナ、４…ブースタ、５，１５０，１６０…周波数変換器、６…分岐器、７〜１０，１２７…分配器、８ａ，９ａ，１０ａ…端末端子、１１…集合玄関設備、１２，１３５…集合用アダプタ、１３…集合インターホン制御装置、１４…管理室親機、１５…集合玄関機、１５ａ…テンキー、１５ｂ…スピーカ、１５ｄ…表示部、１５ｅ…マイク、１７…映像制御機、１８…制御機、１９…ドアロック装置、２０，３０…個別住戸、２１，３１，１２３…住戸用アダプタ、２２，３２…居室インターホン装置、２３，３３…ＴＶ、２６…居室親機、２６ａ…ハンドセット、２６ｂ…スピーカ、２６ｃ…集合玄関ドアロック解錠ボタン、２６ｄ…呼出表示灯、２７…モニタ装置、４１，６１，１２６，１３８…ＦＭ音声変調部、４２…アップコンバータ、４３，４５，５０，６２，６５，６６，７２，１４３…ＨＰＦ、４４，４９，５１，６３，６４，６９，７６，１２４，１３６…ＬＰＦ、４６，６７…チューナ、４７，６８…ＳＡＷフィルタ、４８，７０，１３１，１４２…ＦＭ音声復調部、５２，７７…ＣＰＵ、７１…ＲＦモジュレータ、７３，１２８，１３９…ダウンコンバータ、７４…ＦＭ映像復調部、７５…ＲＦスイッチ、８３…混合器、８４，１２９，１４０…局部発振器、９２…双方向分岐器、１０１〜１０７…双方向増幅器、１２５，１３７…コンデンサ、１３０，１３３，１４１…ＢＰＦ、１３２…ＢＥＦ、１５１…電源部、１５２…電源フィルタ、Ｌ…伝送線
【図１】
2005136905.tif 000003
【図２】
2005136905.tif 000004
【図３】
2005136905.tif 000005
【図４】
2005136905.tif 000006
【図５】
2005136905.tif 000007
【図６】
2005136905.tif 000008
【図７】
2005136905.tif 000009
【図８】
2005136905.tif 000010
【図９】
2005136905.tif 000011
【図１０】
2005136905.tif 000012
【図１１】
2005136905.tif 000013
【図１２】
2005136905.tif 000014
【図１３】
2005136905.tif 000015
【図１４】
2005136905.tif 000016
【図１５】
2005136905.tif 000017